(57)【特許請求の範囲】
【請求項１】
後方が開放した凹部と、この凹部の後部周囲に形成された第一の当接面と、互いに略９０度の角度をもって設けられた対をなす第二の当接面とを有する基体と、前記凹部内に前後方向に移動可能に設けられた取付片と、この取付片に対して揺動自在に基部が軸支された係止片と、前記凹部の前面部に取り付けられると共に前記取付片を凹部内で前後方向に移動させる締付部材とを備えることを特徴とする間仕切への取付装置。
【請求項２】
前記締付部材をビスで構成すると共に、前記係止片の基部に、前記ビスの太さよりも広い幅の切欠き部を形成したことを特徴とする請求項１記載の間仕切への取付装置。
【請求項３】
前記取付片に軸支される軸受部を前記基部の側方に設け、前記係止片の先端部を前記基部に対して側方に折り曲げて形成したことを特徴とする請求項２記載の間仕切への取付装置。
【請求項４】
前記係止片の先端部を、前記軸受部が形成されている方向とは逆方向に折り曲げると共に、この先端部の延長位置に前記軸受部及び締付部材が存在するように形成したことを特徴とする請求項３記載の間仕切への取付装置。
【発明の詳細な説明】
【０００１】
【発明が属する技術分野】
本発明は、間仕切に電話台や照明装置等の機器を取り付けるための取付装置に関するものである。
【０００２】
【発明が解決しようとする課題】
従来、この種の取付装置としては、例えば特公平８−３３０３５号公報や特公平８−３３０３６号公報等に記載されているようなものが知られている。前者の取付装置は、器具の取付部を有した支持部材（基体）と、係止片を支持部材の後部中央に形成された開口部から後方に突出させた取付部材と、取付部材に前記支持部材を前後動可能に連結するねじ手段（締付部材）から構成され、前記支持部材の後面を仕切パネルの前面に圧接するようにしたものである。また、後者の取付装置は、器具の取付部を有した支持部材（基体）と、係止片を一側縁の後方に突出した取付部材と、前記取付部材に前記支持部材を前後動可能に連結するねじ手段（締付部材）から構成され、前記係止片を間仕切壁の角部で露出する角部支柱の係止孔に係止し、支持部材の後面を角部で直交する一方の仕切パネルの前面に圧接するようにしたものである。そして、これらの取付装置は、いずれも間仕切の支柱に形成された係止孔を用いて間仕切に取り付けられている。
【０００３】
しかしながら、前者の取付装置は角部の支柱に対して取り付けることができないという問題がある。一方、後者の取付装置は、平部の支柱に取り付けることが可能ではあるが、係止片が支持部材の側面から後方に突出しているため、締め付けが不安定となってしまい、ちょっとした衝撃で間仕切から外れてしまう虞があった。即ち、従来の取付装置では、角部用と平部用で取付装置を個別に用意する必要があった。
【０００４】
本発明は以上の問題点を解決し、角部及び平部の両方で用いることができる間仕切への取付装置を提供することを目的とする。
【０００５】
【課題を解決するための手段】
本発明の請求項１の間仕切への取付装置は、後方が開放した凹部と、この凹部の後部周囲に形成された第一の当接面と、互いに略９０度の角度をもって設けられた対をなす第二の当接面とを有する基体と、前記凹部内に前後方向に移動可能に設けられた取付片と、この取付片に対して揺動自在に基部が軸支された係止片と、前記凹部の前壁に取り付けられると共に前記取付片を凹部内で前後方向に移動させる締付部材とを備えるものである。
【０００６】
本発明は以上のように構成することにより、取付装置を間仕切の平部に取り付ける際には、係止片の先端部が間仕切の壁に対してほぼ垂直となるようにして間仕切の平部の支柱に形成された係止孔に係止片の先端部を引っかけると共に、間仕切の壁に対して第一の当接面を当接させ、締付部材によって取付片を基体前方に移動させることで、第一の当接面が間仕切の壁に押し付けられて取付装置が固定される。また、取付装置を間仕切の角部に取り付ける際には、係止片の先端部が第一の当接面に対して斜めになるようにして間仕切の角部の支柱に形成された係止孔に係止片の先端部を引っかけると共に、略９０度の角度をもって配された間仕切の壁にそれぞれ第二の当接面を当接させ、締付部材によって取付片を基体前方に移動させることで、第二の当接面が間仕切の壁に押し付けられて取付装置が固定される。
【０００７】
また、本発明の請求項２の間仕切への取付装置は、請求項１において、前記締付部材をビスで構成すると共に、前記係止片の基部に、前記ビスの太さよりも広い幅の切欠き部を形成したものである。
【０００８】
本発明は以上のように構成することにより、係止片が取付片に対して揺動した際や、ビスを締め付けて取付片及び係止片を基体に対して前方に移動させた際に、係止片とビスが衝突することを切欠き部によって避けるようにして係止片を移動させる。
【０００９】
さらに、本発明の請求項３の間仕切への取付装置は、請求項２において、前記取付片に軸支される軸受部を前記基部の側方に設け、前記係止片の先端部を前記基部に対して側方に折り曲げて形成したものである。
【００１０】
本発明は以上のように構成することにより、係止片の先端部を側方に折り曲げたから、凹部の前後方向に対して係止片の先端部を斜めにして間仕切に係止した状態で、締付部材により取付片をスムーズに凹部の前方に引き込むことができる。
【００１１】
さらにまた、本発明の請求項４の間仕切への取付装置は、請求項３において、前記係止片の先端部を、前記軸受部が形成されている方向とは逆方向に折り曲げると共に、この先端部の延長位置に前記軸受部及び締付部材が存在するように形成したものである。
【００１２】
本発明は以上のように構成することにより、取付装置を間仕切の平部の支柱に取り付ける際に、係止片の先端部が取付片の軸受部及び締付部材と同一面上に位置することになる。
【００１３】
【発明の実施形態】
以下、本発明の実施形態を添付図面を参照して説明する。図１〜図６は本発明の一実施形態を示し、同図に示すように、本発明の取付装置は、合成樹脂製の基体１を備え、この基体１は、後述する間仕切にその後方を当てて取り付けられるものであって、その後方に開口部２を設けた凹部３を有し、この凹部３は左，右側面部４，４と上，下面部５，６と前面部７との間に形成されている。前記開口部２の左右両側には第一の当接面８，８が同一面上に形成され、これら第一の当接面８，８の左右方向外側に左右対をなす第二の当接面９，９が設けられ、これら左右対をなす第二の当接面９，９は相互に略９０度の角度をなし、外端側が斜め前方を向いている。さらに、それら第二の当接面９，９の左右方向外端には、端部が前向きで前後方向の係合面１０，１０を設けている。また、前記下面部６は左，右側面部４，４及び前面部７より外側に突出し、該下面部６は前記当接面８，８，９，９及び係合面１０，１０と一体に形成されている。また、前記前面部７には挿通孔１１を穿設し、この挿通孔１１は、前側に突出したボス部１２に形成されている。
【００１４】
前記挿通孔１１には、その前方から締付部材たるビス２１が遊挿され、このビス２１が、前記凹部３内を前後方向移動可能に設けられた取付片２２に螺合する。この取付片２２は前板部２３の上下に上，下板部２４，２４を有するコ字状をなし、前記前板部２３は前記凹部３の左右幅とほぼ等しく、該前板部２３の中央に前記ビス２１が螺合する雌螺子孔２５が形成されている。また、前記凹部３には、前記側面部４，４の内面で、上側に上案内突条２６，２６が形成されると共に、下側に下案内突条２７，２７が形成され、これら上，下案内突条２６，２６，２７，２７に上下位置を案内されて前記取付片２２が凹部３内を前後方向に移動する。前記上，下板部２４，２４の左右方向中央には、雌螺子孔２４Ａ，２４Ａを形成し、これら雌螺子孔２４Ａ，２４Ａの上下から枢軸となる上下方向のビス２８，２８を螺着する。
【００１５】
係止片３１は、基部３２と先端部３３との間に折曲げ部３４を設けて該基部３２に対して先端部３３を左右側方の一側に折り曲げており、この例では、図５及び図６などに示すように、基部３２に対して先端部３３は左側に折り曲げられて斜め一側（左側）向きとなっている。前記基部３２の上下には、左右方向の他側に上，下板部３５，３５を設け、この上，下板部３５，３５に軸受部たる透孔３５Ａ，３５Ａを穿設し、これら透孔３５Ａ，３５Ａは、基部３２に対して左右側方の他側（右側）に設けられている。そして、上，下板部３５，３５を前記取付片２２の上，下板部２４，２４の間に入れると共に、雌螺子孔２４Ａと透孔３５Ａを合せ、該雌螺子孔２４Ａにビス２８を螺入すると共に、該ビス２８を透孔３５Ａに遊挿することにより、透孔３５Ａを回転中心として係止片３１が揺動自在に取付片２２に連結される。また、前記基部３２の上下方向中央で後部が開口する切欠き部３６を形成し、この切欠き部３６は前記ビス２１の位置に対応すると共に、該ビス２１の太さより上下が幅広に形成されている。また、前記ビス２１を螺合した取付片２２と係止片３１とを連結した状態で、先端部３３の延長位置に前記透孔３５Ａとビス２１がほぼ一直線に並ぶように設定されている。前記先端部３３の先端には上下に鉤形係止部３７，３７が設けられ、これら鉤形係止部３７，３７が間仕切１０１の縦孔１０２，１０２に着脱可能に掛止めされる。
【００１６】
前記基体１の前面部７の上部には筒状の取付受部４１が一体に突設され、この取付部材４１に、電話台や照明装置等の機器等の取付用支柱（図示せず）などが挿着される。前記基体１は、中空なカバー体４２が着脱可能に外嵌され、このカバー体４２の側板部４３は前記下面部６の周囲とほぼ同形の平面形状をなすと共に、下面開口部４４と後面開口部４５とを有し、その下面開口４４が前記下面部６の周囲に外嵌すると共に、その後面開口部４５の左，右開口縁４６，４６内面が前記係合面１０，１０に外嵌し、その開口縁４６，４６の端面４６Ａ，４６Ａの一部は前記第二の当接面９，９に合せて斜めに形成されている。さらに、前記カバー体４２の上面部４７には、前記取付受部４１に外嵌する外筒部４８が設けられている。
【００１７】
次に前記取付装置の使用方法につき説明すると、図５は、直線状に並んだ間仕切１０１，１０１の接合箇所であって平部に用いた場合であり、間仕切１０１の端面角部には縦方向の凹部１０３が形成され、この凹部１０３の底面に前記縦孔１０２が形成されている。そして、取付状態を示す図５の位置より取付片２２を後方位置（図５中では上方）とし、係止片３１の鉤形係止部３７，３７を縦孔１０２，１０２に掛止めし、第一の当接面８，８を間仕切１０１，１０１の壁に当て、ビス２１により取付片２２を前方に移動し、第一の当接面８，８を間仕切１０１，１０１の壁に圧接して固定する。この場合、図５に示すように、先端部３３と透孔３５Ａとビス２１がほぼ一直線に並んでいるから、ビス２１を締めることにより、左右の第一の当接面８，８が均等に間仕切１０１，１０１を押圧し、安定した取付強度を得ることができる。また、係止片３１の基部３２には切欠き部３６があるから、係止片３１を凹部３内に引き込んでも、ビス２１が邪魔にならない。このようにして基体１を固定し、ビス２１の操作が終了したら、基体１の上方からカバー体４２を外嵌し、ビス２１部分などを覆い隠して美観を整えると共に、取り付け後に外部からビス２１に接触しないようにする。一方、図６は間仕切１０１，１０１を略９０度に曲がったコーナー部材１０４により連結した角部に取付装置を設ける例であり、一方の間仕切１０１の縦孔１０２，１０２に係止片３１の鉤形係止部３７，３７を掛止めする。この場合は、基部３２に対して先端部３３が左側に曲がっているから、同左側の間仕切１０１の縦孔１０２，１０２に掛止めし、今度は、第二の当接面９，９を両側の間仕切１０１，１０１の壁に当て、ビス２１を締めて取付片２２を前方に移動させて固定する。この場合、係止片３１の先端部３３を側方に折り曲げているから、凹部３の前後方向に対して係止片３１の先端部３３を斜めにして間仕切１０１に係止した状態で、ビス２１により取付片２２をスムーズに凹部３の前方に引き込むことができ、これにより間仕切１０１の角部においても第二の当接面９，９を間仕切１０１，１０１の壁に圧接させ、安定した取付強度を得ることができる。
【００１８】
このように本実施形態では、請求項１に対応して、後方が開放した凹部３と、この凹部３の後部周囲に形成された第一の当接面８と、互いに略９０度の角度をもって設けられた対をなす第二の当接面９，９とを有する基体１と、凹部３内に前後方向に移動可能に設けられた取付片２２と、この取付片２２に対して揺動自在に基部３２が軸支された係止片３１と、凹部３の前面部７に取り付けられると共に取付片２２を凹部３内で前後方向に移動させる締付部材たるビス２１とを備えるものであり、取付装置を間仕切１０１の平部に取り付ける際には、係止片３１の先端部３３が間仕切１０１の壁に対してほぼ垂直となるようにして間仕切１０１の平部の支柱に形成された係止孔たる縦孔１０２に係止片３１の先端部３３を引っかけると共に、間仕切１０１の壁に対して第一の当接面８を当接させ、ビス２１によって取付片２２を基体１前方に移動させることで、第一の当接面８が間仕切１０１の壁に押し付けられて取付装置が固定される一方、取付装置を間仕切１０１の角部に取り付ける際には、係止片３１の先端部３３が第一の当接面８に対して斜めになるようにして間仕切１０１の角部の支柱に形成された縦孔１０２に係止片３１の先端部３３を引っかけると共に、略９０度の角度をもって配された間仕切１０１，１０１の壁にそれぞれ第二の当接面９，９を当接させ、ビス２１によって取付片２２を基体１前方に移動させることで、第二の当接面９，９が間仕切１０１，１０１の壁に押し付けられて取付装置が固定されるので、間仕切１０１の平部及び角部に対して共通の取付装置を用いることができ、製品をコストダウンできるばかりでなく、使用者が複数の取付装置を保管する等の煩わしさを解消することができる。
【００１９】
また、このように本実施形態では、請求項２に対応して、締付部材をビス２１で構成すると共に、係止片３１の基部３２に、ビス２１の太さよりも広い幅の切欠き部３６を形成したものであり、係止片３１が取付片２２に対して揺動した際や、ビス２１を締め付けて取付片２２及び係止片３１を基体１に対して前方に移動させた際に、係止片３１とビス２１が衝突することを切欠き部３６によって避けるようにして係止片３１を移動させて、使用状態によって係止片３１がビス２１と干渉して間仕切１０１へ取付不能になるということを防止することができる。
【００２０】
さらに、このように本実施形態では、請求項３に対応して、取付片２２に軸支される軸受部たる透孔３５Ａを基部３２の側方に設け、係止片３１の先端部３３を基部３２に対して側方に折り曲げて形成したものであり、凹部３の前後方向に対して係止片３１の先端部３３を斜めにして間仕切１０１に係止した状態で、ビス２１により取付片２２をスムーズに凹部３の前方に引き込むことができ、角部においても安定した取付強度を得ることができる。
【００２１】
さらにまた、このように本実施形態では、請求項４に対応して、係止片３１の先端部３３を、軸受部たる透孔３５Ａが形成されている方向とは逆方向に折り曲げると共に、この先端部３３の延長位置に透孔３５Ａ及びビス２１が存在するように形成したものであり、取付装置を間仕切１０１の平部の支柱に取り付ける際に、係止片３１の先端部３３が取付片２２の透孔３５Ａ及びビス２１と同一面上に位置することになり、係止片３１を効果的に引っ張る、即ち第一の当接面８を効果的に間仕切１０１の平部の壁に押し付けることができ、これによって取付装置を安定して間仕切１０１に取り付けることができる。
【００２２】
尚、本発明は上記実施例に限定されるものではなく、本発明の要旨の範囲内において、種々の変形実施が可能である。
【００２３】
【発明の効果】
本発明の間仕切への取付装置は、後方が開放した凹部と、この凹部の後部周囲に形成された第一の当接面と、互いに略９０度の角度をもって設けられた対をなす第二の当接面とを有する基体と、前記凹部内に前後方向に移動可能に設けられた取付片と、この取付片に対して揺動自在に基部が軸支された係止片と、前記凹部の前面部に取り付けられると共に前記取付片を凹部内で前後方向に移動させる締付部材とを備えるものであり、取付装置を間仕切の平部に取り付ける際には、係止片の先端部が間仕切の壁に対してほぼ垂直となるようにして間仕切の平部の支柱に形成された係止孔に係止片の先端部を引っかけると共に、間仕切の壁に対して第一の当接面を当接させ、締付部材によって取付片を基体前方に移動させることで、第一の当接面が間仕切の壁に押し付けられて取付装置が固定される一方、取付装置を間仕切の角部に取り付ける際には、係止片の先端部が第一の当接面に対して斜めになるようにして間仕切の角部の支柱に形成された係止片に係止片の先端部を引っかけると共に、略９０度の角度をもって配された間仕切の壁にそれぞれ第二の当接面を当接させ、締付部材によって取付片を基体前方に移動させることで、第二の当接面が間仕切の壁に押し付けられて取付装置が固定されるので、間仕切の平部及び角部に対して共通の取付装置を用いることができ、製品をコストダウンできるばかりでなく、使用者が複数の取付装置を保管する等の煩わしさを解消することができる。
【００２４】
また、本発明の請求項２の間仕切への取付装置は、請求項１において、前記締付部材をビスで構成すると共に、前記係止片の基部に、前記ビスの太さよりも広い幅の切欠き部を形成したものであり、係止片が取付片に対して揺動した際や、ビスを締め付けて取付片及び係止片を基体に対して前方に移動させた際に、係止片とビスが衝突することを切欠き部によって避けるようにして係止片を移動させて、使用状態によって係止片がビスと干渉して間仕切へ取付不能になるということを防止することができる。
【００２５】
さらに、本発明の請求項３の間仕切への取付装置は、請求項２において、前記取付片に軸支される軸受部を前記基部の側方に設け、前記係止片の先端部を前記基部に対して側方に折り曲げて形成したものであり、凹部の前後方向に対して係止部の先端部を斜めにして間仕切に係止した状態で、締付部材により取付片をスムーズに凹部の前方に引き込むことができ、角部においても安定した取付強度を得ることができる。
【００２６】
さらにまた、本発明の間仕切への取付装置は、請求項４において、前記係止片の先端部を、前記軸受部が形成されている方向とは逆方向に折り曲げると共に、この先端部の延長位置に前記軸受部及び締付部材が存在するように形成したものであり、取付装置を間仕切の平部の支柱に取り付ける際に、係止片の先端部が取付片の軸受部及び締付部材と同一面上に位置することになり、係止片を効果的に引っ張る、即ち第一の当接面を効果的に間仕切の平部の壁に押し付けることができ、これによって取付装置を安定して間仕切に取り付けることができる。
【図面の簡単な説明】
【図１】本発明の一実施形態を示す断面図である。
【図２】同上、分解斜視図である。
【図３】同上、基体の背面図である。
【図４】同上、基体の平面図である。
【図５】同上、間仕切の平部に取り付けた状態での平断面図である。
【図６】同上、間仕切の角部に取り付けた状態での平断面図である。
【符号の説明】
１  基体
３  凹部
８  第一の当接面
９  第二の当接面
２１  ビス（締付部材）
２２  取付片
３１  係止片
３２  基部
３３  先端部
３５Ａ  透孔（軸受部）
３６  切欠き部
１０１    間仕切
【図１】
0003567457.tif 000002
【図２】
0003567457.tif 000003
【図３】
0003567457.tif 000004
【図４】
0003567457.tif 000005
【図５】
0003567457.tif 000006
【図６】
0003567457.tif 000007